(57)【特許請求の範囲】
【請求項１】
ワイヤーで昇降する複数の棚を備えた食器消毒保管装置において，
前記食器消毒保管装置の消毒保管庫の側部の熱風流路内に垂下し、上方先端部が前記消毒保管庫上方の高温室を貫通して高温室外に突出し、高温室外上方に設けた支持プレートの孔を貫通してなるスライド棒と，
前記支持プレートの上下のそれぞれまたはいずれか一方において、前記スライド棒に巻回したスライド棒復帰用のスプリングバネと，
前記スライド棒に設けた前記スプリングバネ用の抜け止めと，
前記スライド棒の下端を一方の端部に軸止し、前記消毒保管庫側方の熱風流路内に突設した支軸に中央部を軸支した回動体と，
前記スライド棒に設けた孔に感知棒の先端を挿入してなる検知器または前記スライド棒に設けた長孔に対向して設けた検知器と，
前記高温室の上方の駆動モーターで回動する巻胴に、一端を巻回して前記熱風流路内に垂下させた４本のワイヤーと，
前記消毒保管庫内に収納され、両側枠の両端部に両端部に突部を突設し、その先端を前記熱風流路の熱風吹き出し板に設けた垂直スリットより熱風流路内に突出させ、その突部先端部に係止手段を用いて前記ワイヤーで所定の間隔を置いて吊り下げ固定された複数の棚と，
前記複数の棚の、前記回動体に対向する側に、棚が昇降する際に先端部側縁が回動体の、前記スライド棒を軸止していない方の先端に当たり、回動体を上下に回動させて上下に通過出来る棚アタッチと，
を備えてなり、前記駆動モーターで巻胴を回動させてワイヤーを巻き取るか巻き戻すと、ワイヤーに吊り下げられた棚が上昇または下降し、前記棚アタッチの一端部が前記回動体の回動部の一端に当接し、該回動体を前記棚アッタチの当接部が押し上げまたは押し下げて回動させることにより、前記スライド棒および前記スライド棒に設けた孔または長孔が引き上げまたは引き下げられて上方または下方に移動し、前記棚アタッチと回動体との当接点が前記回動体の水平中心線上に一致した時に、前記検知器が作動し、かつ、前記検知器の感知棒の回動作動角度または前記長孔に対向したの検知器の検知対象が前記孔または長孔の移動距離に一致して、前記検知器の作動により前記駆動モーターの駆動回路が開路して該駆動モーターの作動を停止させることにより前記回動体およびスライド棒が一定位置で停止、前記棚が所定の位置で停止することを可能とした昇降式棚の昇降停止装置。
【請求項２】
回動体が、消毒保管庫側方の熱風流路内に突設した支軸に回動板の中央部を軸止し、前記スライド棒の下端を前記回動板の一方の端部に軸止し、他方の端部にローラーを軸止してなり、棚の昇降時に、棚アタッチの先端部側縁が前記ローラーに当たり、回動板を上下に回動させて上下に通過できることを可能としたことを特徴とする請求項１に記載の昇降式棚の昇降停止装置。
【発明の詳細な説明】
【０００１】
【発明の属する技術分野】
この発明は、初期消毒保管装置等の昇降式棚の昇降を停止させる装置に関するものである。
【０００２】
【従来の技術】
従来、食器消毒保管装置（以下消毒装置という）の棚は、多数の食器を入れた食器籠を載置したり取り出したりする作業をし易くするために昇降式のものを採用している。そして、棚の昇降のために、棚に吊り下げワイヤーを取り付け、そのワイヤーの端を駆動モーターで回動する巻胴に固定し、タイマー等により駆動モーターを回動させることにより、吊り上げワイヤーを巻胴に巻き取って棚を上昇させ、吊り上げワイヤーを巻き戻して棚を降下させ、駆動モーターを停止させることにより棚の昇降を停止させている。
【０００３】
上記タイマーの代わりに、庫内に耐熱性の近接スイッチまたは光電スイッチを取り付け、棚に検出体を直接取り付けて棚の昇降を停止させる装置がある。
【０００４】
【発明が解決しようとする課題】
従来のタイマーにより駆動モーターを作動停止させる装置は、電源の周波数が５０Ｈｚと６０Ｈｚの異なる地域によってタイマーを調整する必要がある。
棚の高さが定位置でないと、作業者に無理な姿勢を強要し、腰を傷め、作業を円滑に行うことが出来ない。
【０００５】
庫内に近接スイッチや光電スイッチを設けた装置は、庫内の高温および蒸気により近接スイッチや光電スイッチにノイズが生じたり、水滴、水アカ、埃が付着して、誤動作を起こし易く、棚の停止位置が安定せず、時によって棚が停止しないことがある。また、寿命も短く、コストが高い。
【０００６】
従来の上記いずれの装置も、棚の停止位置が安定しないので、停止位置によっては棚によって熱風吹き出し板の孔を塞ぐことがあり、熱風の吹き出しを阻害する場合がある。
【０００７】
この発明は、棚の停止位置が安定しており、電源周波数の異なる地域による調整が必要なく、また、熱風の吹き出しを阻害するおそれがなく、寿命も長く、コストも安く、作業者が作業し易い昇降式棚の昇降停止装置を提供することを目的とする。
【０００８】
【課題を解決するための手段】
請求項１の発明は、ワイヤーで昇降する複数の棚を備えた食器消毒保管装置において，  前記食器消毒保管装置の消毒保管庫の側部の熱風流路内に垂下し、上方先端部が前記消毒保管庫上方の高温室を貫通して高温室外に突出し、高温室外上方に設けた支持プレートの孔を貫通してなるスライド棒と，
前記支持プレートの上下のそれぞれまたはいずれか一方において、前記スライド棒に巻回したスライド棒復帰用のスプリングバネと，
前記スライド棒に設けた前記スプリングバネ用の抜け止めと，
前記スライド棒の下端を一方の端部に軸止し、前記消毒保管庫側方の熱風流路内に突設した支軸に中央部を軸支した回動体と，
前記スライド棒に設けた孔に感知棒の先端を挿入してなる検知器または前記スライド棒に設けた長孔に対向して設けた検知器と，
前記高温室の上方の駆動モーターで回動する巻胴に、一端を巻回して前記熱風流路内に垂下させた４本のワイヤーと，
前記消毒保管庫内に収納され、両側枠の両端部に突部を突設し、その先端を前記熱風流路の熱風吹き出し板に設けた垂直スリットより熱風流路内に突出させ、その突部先端部に係止手段を用いて前記ワイヤーで所定の間隔を置いて吊り下げ固定された複数の棚と，
前記複数の棚の、前記回動体に対向する側に、棚が昇降する際に先端部側縁が回動体の、前記スライド棒を軸止していない方の先端に当たり、回動体を上下に回動させて上下に通過出来る棚アタッチと，
で構成し、前記駆動モーターで巻胴を回動させてワイヤーを巻き取るか巻き戻すと、ワイヤーに吊り下げられた棚が上昇または下降し、前記棚アタッチの一端部が前記回動体の回動部の一端に当接し、該回動体を前記棚アタッチの当接部が押し上げまたは押し下げて回動させることにより、前記スライド棒および前記スライド棒に設けた孔または長孔が引き上げまたは引き下げられて上方または下方に移動し、前記棚アッタチと回動体との当接点が前記回動体の水平中心線上に一致した時に、前記検知器が作動し、かつ、前記検知器の感知棒の回動作動角度または前記長孔に対向したの検知器の検知対象が前記孔または長孔の移動距離に一致して、前記検知器の作動により前記駆動モーターの駆動回路が開路して該駆動モーターの作動を停止させることにより前記回動体およびスライド棒が一定位置で停止、前記棚が所定の位置で停止することを可能とする。
【０００９】
請求項２の発明は、請求項１の発明の昇降停止装置の回動体を、消毒保管庫側方の熱風流路内に突設した支軸に回動板の中央部を軸止し、前記スライド棒の下端を前記回動板の一方の端部に軸止し、他方の端部にローラーを軸止して構成し、棚の昇降時に、棚アタッチの先端部側縁が前記ローラーに当たり、回動板を上下に回動させて上下に通過出来ることを可能とする。
【００１０】
【発明の実施の形態】
この発明の実施の形態を消毒装置に取り付けた場合について説明する。
【００１１】
棚２の四隅付近に、ボルト３を取り付け、ナット４でワイヤー５を挟んで固定する。
ボルト３は、棚枠に直接取り付けても良く、または、図２に示すように棚枠の外面に棚枠プレート６を取り付け、棚枠プレート６にボルト３を取り付けても良い。
【００１２】
ボルト３は、消毒装置の側面熱風流路７の熱風吹き出し板８に縦に設けたスリット３５より側面熱風流路７内に突出し、該スリット３５を上下に移行可能とする。
【００１３】
ボルト３の変わりに、棚枠または棚枠プレート６に突部を設け、その突部を前記スリット３５より側面熱風流路７内に突出させ、その突出部材にワイヤークリップ等の係止手段を用いてワイヤー５を取付けてもよい。
【００１４】
また、棚２の枠面または棚枠プレート６に、ボルト３の上方または下方に板状の棚アタッチ９を水平に取り付ける。棚アタッチ９の両側縁には切り欠き１０を設け、切り欠き１０、１０の間を熱風吹き出し板８の前記スリット３５または別のスリットを挿通させて、棚アタッチ９の先端を側面熱風流路７内に突出させる。
更に、棚アタッチ９の先端縁に切り欠き１１を設け、その切り欠き１１をワイヤー５が縦に通っている。
棚アタッチ９の側縁は、ボルト３の側縁と、同一の垂直線上に位置させず、棚アタッチ９の側縁を後述の回動体の方向に突出させる。
棚アタッチ９をボルト３の上下いずれかに設けずに、他の位置に設けてもよい。その場合には切り欠き１１を設けなくてもよい。
棚アタッチ９は板状に限定するものではなく、棒体でもよい。
【００１５】
ワイヤー５の先端部を、高温室１２外上部に設けた巻胴１３に固定し、同じく高温室１２外上部に設けた駆動モーター１４によりチェーン１５またはたの連結手段で巻胴１３の回動および停止を可能とする。
【００１６】
消毒装置の一方の側面熱風流路７内に天井を貫通してスライド棒１６を垂下させ、高温室１２の上方に突出した上端部を、消毒装置の側方外枠１７の上方に立設したプレート１８または枠に取り付けた支持部材１９の孔２０を貫通させ、下端部を、消毒装置の側方外枠１７の、側面熱風流路７側の面に突出させた支軸２１に回動自在に設けた回動板２２の端部に軸止させる。
回動板２２の、スライド棒１６の下端軸止部の反対端部に、ローラー２３を軸２４で軸止し、ローラー２３が回動板２２に対して回動自在としている。
【００１７】
ローラー２３の位置は、棚２の昇降によりローラー２３が棚アタッチ９の先端部側縁で押されて回動板２２が回動する位置とする。
【００１８】
棚アタッチ９で回動させられてスライド棒を昇降させる回動体としては、上記の回動板２２の一端にローラー２３を取付けたもの以外に、ローラー２３を取付けない棒または板を軸２１で軸止し、一端にスライド棒１６の下端部を軸３４で軸止したものを用い、他端に棚アタッチ９の先端側縁が当たり上記棒または板が回動するようにしてもよい。
【００１９】
スライド棒１６は棒体でも、長い板状の部材でも良い。
【００２０】
スライド棒１６の、支持部材１９の上方へ突出した先端部にはスプリングバネ２５を巻回させ、その上方で、スライド棒１６の先端部に抜け止め２６を設ける。
【００２１】
更に、スライド棒１６の、支持部材１９の下方へ、スプリングバネ２７を巻回させ、その下方でスライド棒１６に抜け止め２８を設け、スプリングバネ２７の降下止めとする。
【００２２】
スプリングバネ２５、２７は、いずれか一方を省略してもよい。
【００２３】
このスプリングバネ２５、２７はスライド棒が下降または上昇した後に元の状態に復帰させるためのものである。
【００２４】
スライド棒１６の支持部材１９の上方へ突出した先端部で、下のスプリングバネ２７の下方に、孔２９を設け、孔２９にリミットスイッチ３０の感知棒３１の先端部を挿入させて、リミットスイッチ３０を高温室１２外上方に取り付ける。
【００２５】
高温室１２外へ設けるので、検知器として、リミットスイッチ３０の代わりに、近接スイッチまたは光電スイッチを用いることが可能である。この場合には、孔２９の代わりに、スライド棒１６の昇降の長さと同じ長さの長孔を設ける。
【００２６】
この昇降停止装置は次のとおり作動する。
図４および図５はその作動説明図であって、図の下方の回動板２２の部分は説明のために９０度横から見た状態を図示している。
【００２７】
ワイヤー５を棚２のボルト３とナット４で締めて所望の間隔で上下に吊るした複数の棚２は、駆動モーター１４の作動で巻胴１３を逆転させてワイヤー５を巻き戻して順次消毒保管庫内の底に積み重ねられている。
【００２８】
駆動モーター１４を作動させて巻胴１３でワイヤー５を巻き取ると、先ず一番上の棚２が引き上げられ、棚アタッチ９の側縁が回動板２２に軸止されているローラー２３に当たり、図４に示すように、ローラー２３は回転しながら持ち上げられ、回動板２２のスライド棒１６下端部の軸止側が回動下降し、スライド棒１６を下方へ引く。棚２は、棚アタッチ９の先端が回動板２２の軸２１を通る水平線上に位置する状態で停止する。
【００２９】
スライド棒１６が下方へ引かれると、スライド棒１６の孔２９に挿入しているリミットスイッチ３０の感知棒３１が下方へ回動し、棚アタッチ９の側縁がローラー２３より上方へ上昇すると、ローラー２３は棚アタッチ９の押し上げから解放されて下降し、回動板２２の反対側の端部が上方へ回動し、回動板２２は元の水平の状態に戻り、スライド棒１６も押し上げられて元の水平の状態に戻る。
【００３０】
上記感知棒３１の上下によりリミットスイッチ３０が働いて駆動モーター１４が停止し、巻胴１３によるワイヤー５の巻き上げを停止し、棚２は停止する。
この棚２の停止の高さは、棚２に食器３２を収納した食器籠３３の積み、降ろしし易い高さ、大体人の腹部の高さになるように回動板２２の高さを設定しておく。
【００３１】
食器３２を収納した食器籠３３以外に非常に重く、人手で腹部の高さに持ち上げるのが困難な場合には、棚２を上昇させる前に、棚２にその物を載置した後に、上記の要領で棚２を上昇させても良い。
【００３２】
第２段目以降の棚２の引き上げは順次上記の要領で行う。
【００３３】
棚２に積載した食器籠３３を取り出すためには、一番下の棚２の上の食器籠３３を取り出してから、駆動モーター１４を逆回転させて巻胴１３によるワイヤー５を巻き戻すと、棚２の重みで上方の棚２が降下する。その時、棚２の棚アタッチ９の側縁が、回動板２２に軸止したローラー２３を図５に示すように、下方へ押して回動板２２が支軸２１を軸として回動し、スライド棒１６を上方へ押す。棚アタッチ９が更に下方へ下がるとローラー２３は押圧から解放されて上方へ回動し、回動板２２は逆に回動し、元の水平の状態に戻り、スライド棒１６も下がって元の状態に戻る。
【００３４】
上記スライド棒１６の昇降により、感知棒３１も昇降し、リミットスイッチ３０の働きで駆動モーター１４が停止し、ワイヤー５の降下が止まり、棚２は、棚アタッチ９の先端が回動板２２の軸２１を通る水平線上に位置する状態で停止する。
【００３５】
更に上方の棚２の降下も上記の要領で行う。
【００３６】
上記スライド棒１６の昇降において、スプリングバネ２５、２７は、スライド棒１６の元の位置への復帰、従って、感知棒３１の復帰をさせる。
【００３７】
上記のスライド棒１６の上昇および下降の長さおよび感知棒３１の下方および上方への回動角度は同じで一定している。感知棒の上下回動角度により棚２の停止位置が決まる。従って、棚２は一定の位置に停止する。
【００３８】
図６は、棚２の昇降・停止と、回動板の回動およびスライド棒の昇降との関係の説明図である。
棚２が上昇する場合には、棚アタッチ９はローラー２３のａ１の位置に当たってローラー２３を持ち上げ、棚アタッチ９がローラー２３のＳＴの位置に当たった状態で停止する。
このローラー２３の上昇により、回動板２２は回動し、軸３４は下方へ回動し、３４ａの位置で止まる。その降下幅がｓ１であり、スライド棒の孔もｓ１の幅で降下する。
【００３９】
次の棚を引き上げると、先の棚２の棚アタッチ９はローラー２３を更に持ち上げ、棚アタッチ９はａ３の位置でローラー２３から離れ、ローラー２３が下降して、回動板２２は水平の状態に戻る。
ローラー２３の先端がａ３の位置の場合の軸３４の位置は３４ｂであり、ローラー２３の先端のａ１−ＳＴ−ａ３への移動による軸３４の下降幅はｈ１である。軸３４のｈ１幅の下降によるスプリングバネ２５の圧縮幅も同じくｈ１である。
【００４０】
上記と反対に棚２が下降する場合には、棚アタッチ９はローラー２３のａ２の位置に当たってローラー２３を押し下げ、棚アタッチ９がローラー２３のＳＴの位置に当たった状態で停止する。
このローラー２３の下降により、回動板２２は回動し、軸３４は上方へ回動し、３４ｃの位置で止まる。その上昇幅がｓ２であり、スライド棒の孔もｓ２の幅で上昇する。
【００４１】
次の棚を引き下げると、先の棚２の棚アタッチ９はローラー２３を更に押し下げ、棚アタッチ９はａ４の位置でローラー２３から離れ、ローラー２３が上昇して、回動板２２は水平の状態に戻る。
ローラー２３の先端がａ４の位置の場合の軸３４の位置は３４ｄであり、ローラー２３の先端のａ２−ＳＴ−ａ４への移動による軸３４の上昇幅はｈ２である。軸３４のｈ２幅の上昇によるスプリングバネ２７の圧縮幅も同じくｈ２である。
【００４２】
そして、ｈ１＝ｈ２であり、ｓ１＝ｓ２である。
【００４３】
【発明の効果】
この発明に係る昇降式棚の昇降停止装置は、食器を収納した食器籠を最上の棚に載置し、棚を１段上昇させ、食器籠を収納し、順次繰替えして他の棚を上昇させる。収納した食器籠を取り出す場合には、消毒保管庫の食器籠を下方から取り出し、棚を１段降下させ順次上の棚を降下させ、食器籠を降ろす。
棚が安定して所定の位置で停止するので、食器籠の積み降ろしを楽な姿勢で円滑、スピーディに行う事が出来る。
【００４４】
また、この発明に係る昇降停止装置は、リミットスイッチ、光電スイッチ、近接スイッチを熱風や蒸気にさらされない高温室外に設ける事が出来るので、ノイズが生じたり、熱風、蒸気、水アカ等により、誤動作のおそれがなく、スイッチの寿命が長い。
リミットスイッチを用いた場合にはコストも安くすむ。
【００４５】
電源の５０Ｈｚ、６０Ｈｚの周波数の違いの影響を受けない。
【図面の簡単な説明】
【図１】この発明に係る昇降式棚の昇降式停止装置を設けた食器消毒保管装置の断面図である。
【図２】昇降式停止装置の支持固定板と棚アタッチの説明図である。
【図３】棚をワイヤーに取り付けた状態の説明図である。
【図４】棚の上昇の時に昇降式停止装置の作動説明図である。
【図５】棚の下降の時の昇降式停止装置の作動説明図である。
【図６】棚アタッチの昇降と回動板の回動およびスライド棒の昇降との関係の説明図である。
【符号の説明】
１  消毒保管庫
２  棚
３  ボルト
４  ナット
５  ワイヤー
６  プレート
７  側面熱風流路
８  熱風吹き出し板
９  棚アタッチ
１０  切り欠き
１１  切り欠き
１２  高温室
１３  巻胴
１４  駆動モーター
１５  チェーン
１６  スライド棒
１７  側方外枠
１８  プレート
１９  支持部材
２０  孔
２１  支軸
２２  回動板
２３  ローラー
２４  軸
２５  スプリングバネ
２６  抜け止め
２７  スプリングバネ
２８  抜け止め
２９  孔
３０  リミットスイッチ
３１  感知棒
３２  食器
３３  食器籠
３４  軸
３５  スリット
【図１】
0004263273.tif 000002
【図２】
0004263273.tif 000003
【図３】
0004263273.tif 000004
【図４】
0004263273.tif 000005
【図５】
0004263273.tif 000006
【図６】
0004263273.tif 000007